(57)【要約】  【課題】  ラジオ受信機の代替周波数（ＡＦ）局受信状態チェック時におけるミュート時間を短縮して音切れによる不快感をなくす。  【解決手段】  マイコン３０から送信されるＡＦ局受信するためのＮ値（分周回路２１の分周比）データを保持するラッチ回路２６を設ける。ＡＦ局のＮ値データをラッチ回路に送った後、ミュート回路１８にミュート信号を送信し、ミュート回路でオーディオ信号のゼロクロスを検出した後、ミュートをかける共に、今聞いていた放送局受信のＮ値をラッチ回路に保持されたＡＦ局のＮ値に変えてＡＦ局を受信する。ＡＦ局受信状態のチェック終了後、ＡＦ局の受信状態が悪ければＮ値を元に戻しミュートを外して元の放送局を受信し、ＡＦ局の受信状態が良好であればミュートを外してＡＦ局を受信する。従来のミュートをかけた後でＡＦ局のＮ値データをＰＬＬ回路２０に送信する方式に比し、Ｎ値送信時間分ミュート時間を短縮できる。  【選択図】  図１
2005198092.tif 000002
【特許請求の範囲】
【請求項１】
ＰＬＬ回路のＮ値を変更して同調周波数を変更する電子同調手段と、或る放送局の放送受信中にミューティングをかけて前記Ｎ値を変更して代替周波数局を受信し代替周波数局の受信状況をチェックする機能とを有する受信機において、
前記ＰＬＬ回路の前段に前記代替周波数局を受信するためのＮ値データをラッチするラッチ手段を設け、
前記代替周波数局の受信状況をチェックする際、前記ミューティングをかける前に前記ラッチ手段に前記代替周波数局を受信するためのＮ値データ送信を実行し、ミューティング時間を短縮したことを特徴とする受信機。
【請求項２】
ＰＬＬ回路のＮ値を変更して同調周波数を変更する電子同調手段と、ＦＭ多重放送受信中に代替周波数局データを得てミューティングをかけて前記Ｎ値を変更して代替周波数局を受信し代替周波数局の受信状況をチェックする機能とを有するＦＭ受信機において、
前記ＰＬＬ回路の前段に前記変更するＮ値データをラッチするラッチ手段を設け、
前記代替周波数局の受信状況をチェックする際、前記ミューティングをかける前に前記ラッチ手段に前記代替周波数局を受信するためのＮ値データ送信を実行してミューティング時間を短縮し、前記ミューティング解除後は前記受信状況のチェック結果により以前の周波数受信又は前記代替周波数局を受信することを特徴とするＦＭ受信機。
【請求項３】
ＰＬＬ回路のＮ値を変更して同調周波数を変更する同調手段と、ＲＤＳデータを送信している放送局の放送受信中に代替周波数局データを得てミューティングをかけて前記Ｎ値を変更して代替周波数局を受信し代替周波数局の受信状況をチェックする機能を有するＲＤＳ受信機において、
前記ＰＬＬ回路の前段に前記変更するＮ値データをラッチするラッチ手段を設け、
前記代替周波数局の受信状況をチェックする際、前記ミューティングをかける前に前記ラッチ手段に前記代替周波数局を受信するためのＮ値データ送信を実行してミューティング時間を短縮し、前記ミューティング解除後は前記受信状況のチェック結果により以前の周波数受信又は前記代替周波数局を受信することを特徴とするＲＤＳ受信機。
【発明の詳細な説明】
【技術分野】
【０００１】
本発明は、受信中の放送局の受信状態が悪くなった場合、同一放送内容の放送をしている代替周波数局に移る機能を有する受信機に関する。
【背景技術】
【０００２】
例えば、車両等に搭載されるラジオ受信機、特にＲＤＳ（Ｒａｄｉｏ  Ｄａｔａ  Ｓｙｓｔｅｍ）受信機では、例えば、現在受信中の放送局から遠く離れて受信状態が悪くなった場合、ＡＦ（Ａｌｔｅｒｎａｔｉｖｅ  Ｆｒｅｑｕｅｎｃｙ：代替周波数）リストやＡＦ受信履歴により、同一放送内容の他周波数の受信良好なＡＦ局（代替周波数局）に移る機能を有する。各放送局は、自局のサービスエリア外周に隣接するネットワーク局の周波数データをＡＦリストとして含むＲＤＳデータを送信している。
【０００３】
従来ＲＤＳ受信機は図４に示すように、アンテナ１から入力する放送信号を受信するＰＬＬ受信回路２と、ＰＬＬ受信回路２に接続されたミューティング回路３と、マイクロコンピュータ（以下マイコン）４と、ＰＬＬ受信回路２に接続された放送局からのＲＤＳデータを含むＲＤＳデータ信号を復調するＲＤＳデータ復調回路５及び受信感度検出回路６と、ＲＤＳデータ復調回路５からＲＤＳデータ信号を格納するメモリ７等で構成されている。
【０００４】
上記ＲＤＳ受信機は、ＡＦ局の受信状態をチェックする際、不快なノイズが聞こえないように、まずマイコン４により制御されるミューティング回路３でミューティングをかけ、ＡＦ局を選局するためのＮ値データをＰＬＬ受信回路２にあるＰＬＬ回路に送信し、ＰＬＬ受信回路２の同調周波数がＡＦ局の受信周波数に変わった後にＡＦ局の受信状態を見て現在受信中の放送局の受信状態より受信程度が良ければそのＡＦ局の周波数を受信状態にし、悪ければ今まで受信していた現放送局の周波数を受信するようにＮ値を戻し、ミューティングを外している（図５、図６参照）。（例えば、特許文献１参照。）。
【０００５】
上記のようにラジオを受信中に短時間のミューティングをかけて別の周波数をチェックするシステムは、ＲＤＳ受信機以外でも在り得る。
【特許文献１】特開平１１−９７９８３号公報
【発明の開示】
【発明が解決しようとする課題】
【０００６】
ＲＤＳ受信機において、ＡＦ局の受信状態をチェックする際にかけるミューティング時間が長いと音途切れとなって聴取者に不快感を与えてしまう。従来は、ミューティングをかけた後にＡＦ局のＮ値データをＰＬＬ受信回路２のＰＬＬ回路に送信したので、ＡＦ局受信が遅れミューティング時間が長くなって聴取者に不快感を与えていた。
【０００７】
本発明は、上記従来のＲＤＳ受信機の課題に鑑みてなされたものであり、受信機のＡＦ局受信状態のチェック時におけるミューティング時間を短縮し良好なラジオ受信ができる受信機を提供することを目的とする。
【課題を解決するための手段】
【０００８】
請求項１に記載の発明は、ＰＬＬ回路のＮ値を変更して同調周波数を変更する電子同調手段と、或る放送局の放送受信中にミューティングをかけて前記Ｎ値を変更して代替周波数局を受信し代替周波数局の受信状況をチェックする機能とを有する受信機おいて、前記ＰＬＬ回路の前段に前記代替周波数局を受信するためのＮ値データをラッチするラッチ手段を設け、前記代替周波数局の受信状況をチェックする際、前記ミューティングをかける前に前記ラッチ手段に前記代替周波数局を受信するためのＮ値データ送信を実行して、ミューティング時間を短縮させている。
【０００９】
また、請求項２又は３に記載の発明は、ＰＬＬ回路のＮ値を変更して同調周波数を変更する電子同調手段と、放送受信中に代替周波数局データを得てミューティングをかけて前記Ｎ値を変更して代替周波数局を受信し代替周波数局の受信状況をチェックする機能とを有するＦＭ受信機またはＲＤＳ受信機において、前記ＰＬＬ回路の前段に前記変更するＮ値データをラッチするラッチ手段を設け、前記代替周波数局の受信状況をチェックする際、前記ミューティングをかける前に前記ラッチ手段に前記代替周波数局を受信するためのＮ値データ送信を実行してミューティング時間を短縮し、前記ミューティング解除後は前記受信状況のチェック結果により以前の周波数受信又は前記代替周波数局を受信するようにしている。
【００１０】
請求項１乃至３に記載の発明によれば、ラッチ手段を設けて、ミューティングをかける前にラッチ手段に代替周波数局を受信するためのＮ値データ送信を実行しているので、ミューティング時間をＮ値送信時間分短縮できる。
【発明の効果】
【００１１】
本発明によれば、ミューティングをかける前に前記ラッチ手段に前記ＰＬＬのＮ値を変更する代替周波数局データ送信を実行しているので、ミューティング時間がＮ値データ送信時間分短縮されてミューティングが聴取者に判別できない程度になる。そのため、受信中いつでも良好な受信状態でラジオ放送を聞くことができる。
【発明を実施するための最良の形態】
【００１２】
図１に、本発明の実施形態に係るＲＤＳ受信機のブロック図を示す。図１について、チューナ１２は電子同調方式のチューナで、ＰＬＬ回路２０のＬＰＦ（ローパスフィルタ）２３から出力されるＶＣＯ（電圧制御発振器）２４を制御する電圧を選局電圧としてアンテナ１１から入力する受信信号からＦＭ放送信号を受信する。ＲＦアンプ１３はこのＦＭ放送信号を増幅し、ミキサ回路１４はＰＬＬ回路２０のＶＣＯ２４の発振周波数信号を局部発振信号としてＦＭ放送信号を中間周波数信号に変換し、ＩＦアンプ１５はこの中間周波数信号を増幅する。
【００１３】
ＦＭ検波回路１６はこの中間周波数信号を検波し、ステレオデコーダ１７はこの検波された信号からステレオオーディオ信号（以下単にオーディオ信号という）を出力する。ミューティング回路１８はゼロクロス検出回路を備えており、マイコン３０から送信されるミュート０Ｎ制御信号を受けるとオーディオ信号のゼロクロスを検出してミュートＯＮにする。また後述するＡＦ局受信状況チェック結果が良好な場合マイコン３０から送信されるミュートＯＦＦ制御信号を受けるとゼロクロスを検出してミュートＯＦＦにする。
【００１４】
ＰＬＬ回路２０は、Ｎ値データの入力により分周比Ｎが設定されＶＣＯ２２の発振周波数を分周する分周回路２１と発振器２５の出力信号と分周回路２１の出力信号の位相を比較する位相比較回路２３と位相比較回路２３の出力が入力するＬＰＦ２４及びＬＰＦ２４の出力電圧で発振周波数が制御されるＶＣＯ２２で構成されている。
【００１５】
ラッチ回路２６は、上記マイコン３０と分周回路２１の間に接続されマイコン３０から送信されるＡＦサーチビットとＡＦ局のＮ値（ＰＬＬ回路２０分周値）データを受けてＮ値をラッチし、ミューティング回路１８がオーディオ信号のゼロクロスを検出後マイコン３０に制御されてラッチしたＮ値を分周回路２１に出力する。２７は受信感度検出回路、２８はＲＤＳ復調回路、メモリ２９は、ＲＤＳ復調回路２８で復調されたＲＤＳデータ、ＡＦ局リスト等を記憶する。
【００１６】
マイコン３０はＲＯＭ（図示省略）に書き込まれている処理ルーチンにしたがってこのＲＤＳ受信機１０のＡＦサーチ動作等を制御する。
【００１７】
次に、上記ＲＤＳ受信機１０のＡＦサーチ動作について、図２に示すフローチャート及び図３に示すタイミングチャートを参照して説明する。ある放送局の放送を受信中（Ｓ１１）、マイコン３０は受信感度検出回路２７からの信号を受けて現放送局の受信状態が悪化したか否かの判断をする（Ｓ１２）。例えば、ＲＤＳ受信機１０が搭載されている車両の移動等により、受信している放送局の受信状態が悪化し現放送局の受信状態悪化判断の結果がＹＥＳになると、マイコン３０はメモリ２９にある現放送局と同じ放送をしているＡＦ局のＡＦサーチビットとＡＦ局リスト（又はＡＦ受信履歴）のＮ値データをラッチ回路２６に送信す（Ｓ１３）。
【００１８】
その後マイコン３０はミューティング回路１８にミュートＯＮ制御信号を送信し、ミュートＯＮ制御信号を受けたミューティング回路１８はステレオデコーダ１７から出力されるオーディオ信号のゼロクロスを検出してミュートＯＮとしてオーディオ信号をミュートＯＮ状態にする（Ｓ１４）。上記ゼロクロスが検出した時点でラッチ回路２６はマイコン３０からの送信信号を受けてラッチしていたＡＦ局のＮ値をＰＬＬ回路２０に出力するので、分周回路２１の現放送局選局のＮ値がＡＦ局選局のＮ値に瞬時に変わり、ＡＦ局が受信される（Ｓ１５）。そしてマイコン３０は、受信感度検出回路２７の信号を受けてＡＦ局の受信状況をチエックする。（Ｓ１６）。
【００１９】
上記ＡＦ局受信状況のチェック結果が現放送局の受信状況より悪い場合、マイコン３０はＡＦ局のＮ値を現放送局のＮ値に戻して現放送局の周波数に同調させ、その後ミュートＯＦＦ信号をミューティング回路１８に送信してオーディオ信号のゼロクロスを検出させゼロクロスが検出されると、ミューティング回路１８はミュートＯＦＦとして現放送局を受信する（Ｓ１８）。この場合のミュートＯＮからミュートＯＦＦまでのミューティング時間は約６ｍｓである（図３（Ａ））。
【００２０】
また、上記ＡＦ局受信状況のチエック結果が現放送局受信状況より良好な場合、マイコン３０はミューティング回路１８に送信し、ミューティング回路１８がオーディオ信号のゼロクロスを検出するとミュートＯＦＦとしてＡＦ局を受信する（Ｓ１７）。この場合のミュートＯＮからミュートＯＦＦまでのミューティング時間は約４．５ｍｓである（図３（Ｂ））。
【００２１】
これに対し、従来のＲＤＳ受信機（図４）は、上記図１のラッチ回路８を備えていない。そして、図５に示すフローでＡＦサーチ動作するので、Ｓ２２の放送局の受信状態悪化の判断結果（Ｓ２２）がＹＥＳとなると、ミューティング回路１８でオーディオ信号のゼロクロスを検出してミュートＯＮとして現放送局のオーディオ信号をミュート状態とした後で、マイコン３０からＡＦサーチビットとＡＦ局Ｎ値データをＰＬＬ回路２０に送信している（Ｓ２４、Ｓ２５）。そのため図６に示すように、ミュートＯＮからＡＦ周波数に同調するまでの時間（Ｎ値送信時間分）を要する。
【００２２】
このためＳ２６のＡＦ局の受信状況チェックの結果が現放送局の受信状況より悪い場合のミューティング時間は約７ｍｓ（図６（Ａ））となり、また、上記ＡＦ局の受信状況のチェックが現放送局の受信状況より良好な場合のミューティング時間は約５．５ｍｓ（図６（Ｂ））となる。
【００２３】
本発明によれば、上記従来図６のミュートＯＮからＡＦ周波数に同調するまでに要したＮ値送信時間分の時間（Ｓ２４の時間）を無くすことができたので、ミューティング時間を約１ｍｓ程短縮できた。これにより人が耳で判別できないとされるミューティング時間約３ｍｓにより近づけることができ、ＡＦサーチ動作時におけるミューティングによる音切れを感じないＲＤＳ受信機が得られた。
【００２４】
上記図１ではミューティング回路１８をオーディオ回路部に設けているが、チューナ部に設けてもよい。また、ステレオデコーダ１７はモノラルデコーダとすることができる。また、上記ラッチ回路２６は同等機能を有するものであればよい。
【００２５】
また、上記ではＲＤＳ受信機について説明したが、ＲＤＳ機能がなくともチューナがＰＬＬ回路のＮ値を変更して同調をとる電子同調方式の受信機に適用できる。例えば、メモリ２９を予めＡＦ局Ｎ値リストが記憶させておくことにより、図２と同様にＡＦサーチ動作を実行することが可能である。また、ＦＭ多重放送の場合は、ＦＭ多重放送受信により代替周波数局データを得ることも可能である。本発明は、ＲＤＳ受信機に限定されるものではなく、ＰＬＬ回路のＮ値を変更して同調をとる電子同調方式の受信機に適用できる。
【図面の簡単な説明】
【００２６】
【図１】実施の形態に係るＲＤＳ受信機のブロック図。
【図２】実施の形態に係るＡＦサーチ動作のフローチャート。
【図３】実施の形態に係るＡＦサーチ動作のタイミングチャート。
【図４】従来例に係るＲＤＳ受信機のブロック図。
【図５】従来例に係るＡＦサーチ動作のフローチャート。
【図６】従来例に係るＡＦサーチ動作のタイミングチャート。
【符号の説明】
【００２７】
１０…ＲＤＳ受信機、  １２…チューナ、  １４…ミキサ、  １６…ＦＭ検波回路、  １７…ステレオデコーダ、  １８…ミューティング回路、  ２０…ＰＬＬ回路、  ２６…ラッチ回路、  ２７…受信感度検出回路、  ２８…ＲＤＳデータ復調回路、  ２９…メモリ、  ３０…マイコン。
【図１】
2005198092.tif 000003
【図２】
2005198092.tif 000004
【図３】
2005198092.tif 000005
【図４】
2005198092.tif 000006
【図５】
2005198092.tif 000007
【図６】
2005198092.tif 000008